(57)【特許請求の範囲】
【請求項１】
車両のシートバックにポケット部を設け、シートベルトのタングが挿込み係止されるバックルを該ポケット部に収納保持するようにした車両用シートベルトのバックル収納構造において、上記ポケット部の内面に突起部を突出形成し、バックルが上記ポケット部内に収納されることにより、上記突起部がバックルの解除ボタンを押圧してタングのバックルへの係止が解除される構造としたことを特徴とする車両用シートベルトのバックル収納構造。
【請求項２】
請求項１に記載のバックルの解除ボタンは、バックルの周壁面に設けた解除孔の内部に埋没し、乗員が該解除ボタンを押圧操作できない構造となっており、該バックルがポケット部内に収納されることによって、突起部がバックルの上記解除孔に嵌入し、該突起部の先端部にて解除ボタンが押圧されるようになっていることを特徴とする車両用シートベルトのバックル収納構造。
【請求項３】
請求項１又は２に記載のポケット部は、その上面が前方へ行くに従って上向きにせり上がる傾斜面に構成されていることを特徴とする車両用シートベルトのバックル収納構造。
【発明の詳細な説明】
【０００１】
【発明の属する技術分野】
本発明は、車両用シートのシートベルトバックルの収納構造に関するものである。
【０００２】
【従来の技術】
ワゴン車等の後席として採用されている折りたたみ可能なシートは、そのシートバックが一般に片持ち構造であるため、シートバックの強度，剛性を充分に大きくすることが困難であり、そのためにシートバックにシートベルトを固定する構造を採用するには重量の増加等問題が多く、車体にシートベルトを固定する構造を採らざるを得ない。折りたたみシートにおいてシートベルトを車体に固定する構造とする場合は、シートを折りたたむ際のシートベルトの収納という点でなかなか難しい問題を有している。
【０００３】
即ち、例えば図３に示すように、後席のシートバックｄの上部後方の車体側部材に基端部をリトラクタを介して取付けたシートベルトａの先端部に第１のタングｂを取付けると共に、該シートベルトａに第２のタングｂ′をスライド可能に挿通し、上記第１のタングｂが挿込み係止される第１のバックルｃをシートバック下部の車体側部材に固定すると共に、該第１のバックルｃより車体中央側の位置におけるシートバック下部の車体側部材に第２のバックルｃ′を固定し、第１のタングｂは常時第１のバックルｃに挿込み係止された状態に保持され、第２のタングｂ′が第２のバックルｃ′に係止していない実線示のシートベルト非着用状態にて、後席に乗員が着座しシートベルトａをリトラクタより引き出して第２のタングｂ′を第２のバックルｃ′に挿込み係止することにより、鎖線示のような３点式シートベルトの着用状態とすることができるシートベルト装置においては、シートの折りたたみに際しては、実線示のシートベルト非着用状態から第１のタングｂも第１のバックルｃより外してからシートを折りたたむ。
【０００４】
上記のようにシートベルト非着用状態にて第１のタングｂを第１のバックルｃから外すと、シートベルトａはリトラクタに巻取り格納されるが、バックルｃ，ｃ′の位置が不安定となり、折りたたまれたシートを再び元の使用位置に戻すとき、バックルｃ，ｃ′がシートシートクッションの下に入り込み、バックルｃ，ｃ′をシートクッション上の所定の位置まで引き上げるのに非常に手間がかかるという問題がある。
【０００５】
この問題に対して、シートバックにバックルを収納保持できるポケット部を設け、シートの折りたたみに際してタングをバックルから外した後、該バックルを該ポケット部に収納保持させることにより、バックルがシートクッションの下に入り込むことがないようにした、所謂シートベルトバックルポケット構造が従来より数多く考案され、例えば特開平７−８１５１８号公報，特開平８−５８５２７号公報或は特開平８−１９２７１８号公報等にて公開されている。
【０００６】
【発明が解決しようとする課題】
上記先行技術のものは、シートの折りたたみに際してタングをバックルから外した後、該バックルをシートに設けたポケット部に挿込み収納することによって該バックルが動かないようにし、その後シートを折りたたむことにより、再びシートをもとの使用位置に戻したときバックルがシートバックのポケット部内に収納された状態にあり、それによってシートベルト装置をもとの使用できる状態に戻すことが容易となるものであって、シートの折りたたみ時及び使用位置への戻し時に関して使い勝手が向上する、というメリットを有している。
【０００７】
本発明は、上記のような従来の構成のメリットを更に一層向上させ、使い勝手の更なる向上をはかることを目的とするものである。
【０００８】
【課題を解決するための手段】
本発明は、シートバックにポケット部を設け、シートベルトのタングが挿込み係止されるバックルを該ポケット部内に収納保持するようにした車両用シートベルトのバックル収納構造において、ポケット部の内面に突起部を突出形成し、バックルが該ポケット部内に収納されることにより、上記突起部がバックルの解除ボタンを押圧してタングのバックルへの係止が解除されるよう構成したことにより、シートの折りたたみに際して、タングが挿込み係止されたままのバックルをポケット部内に挿入するという単一の操作により、バックルの収納とタングの係止解除とが同時的に行なわれ、シートの折りたたみに際してのシートベルト装置の始末が非常に容易となり、シートの折りたたみ作業にかかる手間と時間を軽減短縮することができる。
【０００９】
又、上記バックルの解除ボタンを、バックル周壁部に設けた解除孔の内部に埋没した構造としたことにより、通常は乗員が指や爪等で押圧操作することができず、上記ポケット部にバックルを収納し突起部が解除孔に嵌入することによって始めて解除ボタンが押圧されタングの係止が解除されるので、シートを折りたたむとき以外は、常にタングがバックルに係止されたシートベルト着用可能状態に保持され、着座した乗員のシートベルト着用率の向上をはかることができる。
【００１０】
更に又、ポケット部の上面を、前方へ行くに従って徐々にせり上がる傾斜面に構成したことにより、バックルをポケット部内に挿入しタングの係止が解除されたとき、リトラクタのシートベルト巻取力にてバックルから抜け出したタングが上記傾斜面に沿ってスムーズに上方の収納位置へと移動できるものである。
【００１１】
【発明の実施の形態】
以下、本発明の実施の形態について図面を参照して説明する。
【００１２】
図１は本発明の第１の実施例を示すもので、図１（Ａ）において、１はシートベルトであり、該シートベルト１の下端部にはタング２が取付けられ、該タング２が挿込み係止されるバックル３はベルト４にてシートバック１０の下部の車体部材（図示省略）に固定される。シートベルト１の上端部は、図示は省略しているが、リトラクタに巻付けられ、該リトラクタはシートバック１０の上部後方の車体部材に固定されている。上記ベルト４は下端の車体部材への固定部から、シートバック１０の前面下部とシートクッション１１の後端部との間を通って上方へ延び、該ベルト４の上端に取付けられたバックル３がシートクッション１１の後端付近の上部に位置し、このバックル３にタング２が挿込み係止されるようになっている。この図１のシートバック１０とシートクッション１１とからなるシートは、例えばワゴン車等の後席として採用される折りたたみ可能なシートであり、図１のタング２とバックル３は、図３の第１のタングｂと第１のバックルｃに相当し、図１においてバックル３にタング２が挿込み係止されることにより、図３の実線示のシートベルトの非着用状態となり、図１においてシートベルト１に挿通保持されている図示しない第２のタングを図示しない第２のバックルに挿込み係止することにより、図３の鎖線示の３点式シートベルト着用状態となるものである。
【００１３】
尚、バックル３は、従来より周知のように、上部にタング２の挿込み口３ａを有し、該挿込み口３ａより挿込まれたタング２の係止部２ａに係合して係止状態とする係合機構が内部に設けられている。又、上記タング２の係止を解除するための解除ボタン３ｂが設けられるが、本発明では該解除ボタン３ｂがバックル３の周壁部に設けた解除孔３ｃ内に埋没し、乗員が解除ボタン３ｂを手で（指や爪等にて）押圧操作することができない構成となっている。
【００１４】
シートバック１０の前面下部には凹部１０ａが設けられ、該凹部１０ａには前面が開放した収納ケース６が装着され、該収納ケース６により前記バックル３を収納保持するポケット部５を構成している。
【００１５】
収納ケース６は、バックル３を収納できる空間を有しているのに加えて、その上部には前方へ行くに従って徐々に上方へせり上がる傾斜面６ａが形成されており、また該収納ケース６の後面には前方へ向けて突出する突起部６ｂが突出形成され、更に収納ケース６の左右両側面部及び下面部には収納されたバックル３を保持するための爪部７がそれぞれ突出形成されている。突起部６ｂは上記バックル３の解除孔３ｃに嵌入できる形状に構成される。
【００１６】
上記において、通常時は、上述したようにタング２がバックル３に挿込み係止された状態となっており、この状態にて図示しない第２のタングを図示しない第２のバックルに挿込み係止することにより、３点式シートベルト装置の着用状態とすることができる。
【００１７】
シートの折りたたみに際しては、タング２がバックル３に挿込み係止されたままの通常状態で、バックル３をその解除孔３ｃを後向きとしてポケット部５の収納ケース６内に挿入する。すると、図１（Ｂ）のように、収納ケース６の後面に突出形成した突起部６ｂがバックル３の解除孔３ｃに相対的に嵌入して該突起部６ｂの先端部が解除ボタン３ｂを押圧し、タング２のバックル３への係止が解除される。すると、図示しないリトラクタの巻取力にてシートベルト１が上方へ引っ張られることによりタング２は自動的にバックル３から外れて収納ケース６の傾斜面６ａに沿って上方へ抜け出し、シートベルト１はリトラクタに巻取られ収納状態となる。収納ケース６内に挿入されたバックル３は爪部７により確実に収納状態に保持され、その状態でシートバック１０とシートクッション１１を折りたたむことができる。
【００１８】
シートを通常時の使用状態に戻した後、収納ケース６からバックル３を取り出す場合は、収納状態にあるバックル３の上部には傾斜面６ａによって比較的大きな空間が形成されているので、その空間を利用して手でバックル３を容易に引き出すことができ、リトラクタからシートベルト１を引き出してタング２をバックル３に挿込み係止させることにより、再び３点式シートベルト装置として使用可能な状態とすることができる。
【００１９】
上記の実施例は、バックル３がベルト４にてシートバック１０下部の車体部材に固定され、シートの折りたたみに際して該バックル３をシートバック１０のポケット部５に収納保持させる構成について示しているが、図２に示すように、バックル３がシートクッション１１後方下部の車体側部材にブラケット４′により首振り可能に取付けられている場合における該バックル３の収納構造を第２の実施例として次に説明する。
【００２０】
図２に示すように、バックル３はシートクッション後方下部の車体側部材にブラケット４′を介して軸着され、破線で描かれているように該ブラケット４′に対して車体前後方向に回動可能となっている。該バックル３の上部にはタング２の挿込み口３ａがあり、後面にはタング２の係止を解除する解除ボタン３ｂが解除孔３ｃ内に埋没した状態で設けられていることは図１のバックル３と同じである。
【００２１】
シートバック１０の前面下部には、バックル３を収納可能な空間をもち前面が開放したポケット部１５が構成され、該ポケット部１５の後面には突起部１５ａが設けられている。
【００２２】
この第２の実施例で、シートを折りたたむには、タング２が係止された状態のバックル３はそのままの状態で、シートバック１０をその下部を回動中心として車体前方へ倒す。その時、バックル３はシートバック１０に設けられたポケット部１５に押されて破線のように前方へ回動しつつ、突起部１５ａがバックル３の解除孔３ｃに嵌入して解除ボタン３ｂを押圧し、タング２の係止が解除される。すると、リトラクタの巻取力にてシートベルト１が引っ張られることにより、タング２はバックル３より自然に抜け出してシートベルト１と一緒に上方へ収納され、シートバック１０が完全に前倒した折りたたみ状態ではバックル３はポケット部１５内に収納された状態となる。
【００２３】
シートバック１０を起立させると、バックル３はポケット部１５から外れて元の状態に戻り、該バックル３にタング２を挿込み係止させることにより、３点式シートベルト装置として使用可能な状態に戻る。
【００２４】
この第２の実施例において、ポケット部１５の側面を前方に向って広がる形状にすると、バックル３のポケット部１５への嵌入，取り外しが無理なくより円滑に行われる。
【００２５】
【発明の効果】
以上のように本発明によれば、シートバックに形成されたポケット部に、タングを係止したままのバックルを挿入するという単一の操作によって、バックルのポケット部への収納と、タングの係止解除とが同時に自動的に行なわれ、シートの折りたたみに際してのシートベルト装置の始末が非常に容易となり、シートの折りたたみ作業にかかる手間と時間を軽減短縮することができる。
【００２６】
又、バックルをポケット部に挿入収納しない限りタングがバックルに係止された状態に保持されるので、シートを折りたたむとき以外は常にシートベルト装置は使用可能な状態に保持され、シートベルト着用率の向上をもはかることができるもので、実用上多大の効果をもたらし得るものである。
【図面の簡単な説明】
【図１】本発明の第１の実施例を示すもので、（Ａ）は全機能の分解斜視図、（Ｂ）はバックル部がポケット部に収納保持された状態の縦断側面図である。
【図２】本発明の第２の実施例を示す全体斜視図である。
【図３】本発明を適用すべき折りたたみ可能なシートとそれに装備されるシートベルト装置の一例を示す斜視説明図である。
【符号の説明】
１      シートベルト
２      タング
３      バックル
３ｂ    解除ボタン
３ｃ    解除孔
４      ベルト
４′    ブラケット
５      ポケット部
６      収納ケース
６ａ    傾斜面
６ｂ    突起部
７      爪部
１０    シートバック
１０ａ  凹部
１５    ポケット部
１５ａ  突起部
【図１】
0003730780.tif 000002
【図２】
0003730780.tif 000003
【図３】
0003730780.tif 000004